(57)【要約】【課題】墨出し器が、その突起を押し込むだけでアダプターの墨出し器装着部分に装着され、装着状態で墨出し器が安定に保持され、墨出し器の回転位置を調整することも可能な墨出し器用三脚アダプターを得る。【解決手段】墨出し器装着部の中心軸線を挟んで相対向する位置にあり、立ち上がり部２２に墨出し器の鍔着き下部突起を挟み込む狭持部２４を備えた一対の狭持体２０と、各狭持体２０の回転軸３０より下側相互間に配置され、狭持体２０の狭持部２４が互いに接近するように付勢する圧縮コイルばね３２を有する。一対の狭持体２０の下部は双方を付勢力に抗し互いに接近する向きに押すことにより立ち上がり部２２を互いに離間する向きに移動させ、一対の狭持体２０の狭持部２４は、狭持される墨出し器の下部突起の外形に沿った円弧状に形成され、基台１２は、一対の挟持体２０の付勢力による回転範囲を規制するストッパ１８を有している。【選択図】図１
2009036700.tif 000002
【特許請求の範囲】
【請求項１】
断面形状がＬ字状で中間に水平方向の回転軸を有し、墨出し器装着部の中心軸線を挟んで相対向する位置にあり、上側の立ち上がり部に墨出し器の鍔着き下部突起を挟み込むことができる狭持部を備えた一対の狭持体と、
上記一対の狭持体の回転軸より下側相互間の、上記墨出し器の下部突起よりも下側に配置され、上記一対の狭持体の上記狭持部が互いに接近するように付勢する圧縮コイルばねと、を有してなり、
上記一対の狭持体の下部は墨出し器を取り外すときの操作部となっていて、双方の操作部を付勢力に抗し互いに接近する向きに押すことにより上側の立ち上がり部を互いに離間する向きに移動させるように構成され、
上記一対の狭持体の狭持部は、この狭持部によって狭持される墨出し器の下部突起の外形に沿った円弧状に形成され、
上記基台は、一対の挟持体の付勢力による回転範囲を規制して、一対の挟持体の狭持部相互間に墨出し器の下部突起を押し込むことができる間隔を保つストッパを有している墨出し器用三脚アダプター。
【請求項２】
一対の狭持体の回転軸は、基台に支持されている請求項１記載の墨出し器用三脚アダプター。
【請求項３】
基台は、それ自体を床面に設置するための足を備えている請求項２記載の墨出し器用三脚アダプター。
【請求項４】
基台には、三脚のねじをねじ込むことにより三脚上に装着するためのナットが埋め込まれている請求項２記載の墨出し器用三脚アダプター。
【請求項５】
基台からは、一対の狭持体相互間に墨出し器の下部突起の外形に沿った部分円筒部が立ち上がっている請求項１記載の墨出し器用三脚アダプター。
【発明の詳細な説明】
【技術分野】
【０００１】
本発明は、墨出し器を三脚に取り付けて使用するための墨出し器用三脚アダプターの構造に関するもので、特に、回転機能を持たないレーザー墨出し器を装着することによってレーザー墨出し器に回転機能を持たせることができ、かつ、レーザー墨出し器の着脱を容易に行うことを可能にした三脚アダプターに関するものである。
【背景技術】
【０００２】
墨出し器は、建築現場などにおいて、天井から壁面にかけて通り芯あるいは「たち」と呼ばれる鉛直方向の光による基準線、または壁面に「ろく」と呼ばれる水平方向の光による基準線をレーザー光によって投射する装置である。光源として半導体レーザーを用い、半導体レーザーから射出される光束をコリメートレンズによって平行光束にし、これを円柱レンズなどに透過させることにより一方向にのみ拡散させ、対象面にライン光として照射する。上記平行光束を鉛直方向にのみ拡散させれば鉛直方向のライン光となり、水平方向にのみ拡散させれば水平方向のライン光となる。
【０００３】
墨出し器は、それ自体が脚部を有していて、この脚部によって適宜の位置に墨出し器を設置することができる。また、場合によっては、墨出し器を三脚に取り付けて使用することもある。墨出し器を三脚に取り付けて使用する場合に考慮すべき事項として、着脱が簡単であること、三脚に取り付けた状態で墨出し器が安定していて三脚から脱落することがないこと、三脚に取り付けて状態でスムーズに回転させることができること、などが挙げられる。
【０００４】
特許文献１には、三脚との結合部および墨出し器の突起が嵌まる円筒部を有する第１の筒と、第１の筒に相対回転可能に嵌められている第２の筒と、第１の筒の内周面から進退可能に配置されている締め付け部材とを有し、第２の筒は、第１の筒に対し相対回転させることにより上記締め付け部材を第１の筒の内周面から進出させ上記締め付け部材を第１の筒の円筒部に嵌まる墨出し器の突起に当接させてこの突起を締め付ける締め付け部材押圧部を有していることを特徴とする墨出し器用三脚アダプターが記載されている。
【０００５】
特許文献１記載の墨出し器用三脚アダプターによれば、墨出し器が三脚に取り付けられた状態では、第２の筒を第１の筒に対し相対回転させ、第１の筒の円筒部に嵌まる墨出し器の突起に、締め付け部材を当接させるため、墨出し器が三脚に安定に保持され、墨出し器が三脚から容易に脱落するというようなことはない。また、墨出し器が三脚に取り付けられた状態で、墨出し器を所望の回転位置までスムーズに回転させることができる利点もある。さらに、第２の筒を第１の筒に対し相対回転させた状態で墨出し器を着脱することができるため、着脱操作が簡単になる利点もある。
【０００６】
【特許文献１】特開２００３−１５１５７９号公報
【発明の開示】
【発明が解決しようとする課題】
【０００７】
本発明は、特許文献１に記載されているような従来の墨出し器用三脚アダプターをさらに改良して、墨出し器本体の三脚に対する着脱操作をより簡略化することを目的とする。
すなわち、特許文献１に記載されている従来の墨出し器用三脚アダプターによれば、墨出し器を三脚に装着するとき、墨出し器の突起を第１の筒の円筒部に嵌める動作と、そのあとに第２の筒を第１の筒に対し相対回転させて墨出し器の上記突起に締め付け部材を当接させる動作の二つの動作を、順に行う必要がある。
そこで本発明は、三脚アダプターの墨出し器装着部分に、墨出し器と一体の突起を押し込むことによって三脚がアダプターの墨出し器装着部分に装着されるようにして装着の操作性を向上させ、装着状態で墨出し器が安定に保持され、かつ、装着状態で墨出し器の回転位置を調整することも可能な墨出し器用三脚アダプターを提供することを目的とする。
【課題を解決するための手段】
【０００８】
本発明は、断面形状がＬ字状で中間に水平方向の回転軸を有し、墨出し器装着部の中心軸線を挟んで相対向する位置にあり、上側の立ち上がり部に墨出し器の鍔着き下部突起を挟み込むことができる狭持部を備えた一対の狭持体と、この一対の狭持体の回転軸より下側相互間の、上記墨出し器の下部突起よりも下側に配置され、上記一対の狭持体の上記狭持部が互いに接近するように付勢する圧縮コイルばねと、を有してなり、上記一対の狭持体の下部は墨出し器を取り外すときの操作部となっていて、双方の操作部を付勢力に抗し互いに接近する向きに押すことにより上側の立ち上がり部を互いに離間する向きに移動させるように構成され、上記一対の狭持体の狭持部は、この狭持部によって狭持される墨出し器の下部突起の外形に沿った円弧状に形成され、上記基台は、一対の挟持体の付勢力による回転範囲を規制して、一対の挟持体の狭持部相互間に墨出し器の下部突起を押し込むことができる間隔を保つストッパを有していることを最も主要な特徴とする。
【発明の効果】
【０００９】
一対の狭持体を付勢力に抗して回転させ、各狭持体の狭持部間に墨出し器の下部突起を押し込むことにより、墨出し器を三脚アダプターに装着することができる。一対の狭持体の狭持部間に墨出し器の下部突起が押し込まれると、一対の狭持体は付勢力に抗し回転軸を中心に回転させられて狭持部間に潜り込む。墨出し器の下部突起が所定の位置まで押し込まれると、一対の狭持体の狭持部が付勢力により回転して墨出し器の下部突起をくわえ込む。墨出し器は、三脚アダプターに装着された状態で、一対の狭持体の狭持部の円弧に墨出し器の下部突起の外形を沿わせながら回転させ、任意の回転位置に調整することができる。
三脚アダプターから墨出し器を取り外す場合は、一対の狭持体の下部の操作部を付勢力に抗し互いに接近する向きに押して、一対の狭持体の上側の立ち上がり部を互いに離間する向きに移動させればよい。
一対の狭持体を付勢するばねは、一対の狭持体相互間に掛けられた一つのばねのみで足り、また、三脚アダプターに墨出し器が装着された状態で上記ばねが墨出し器の下部突起と干渉することもない。
【発明を実施するための最良の形態】
【００１０】
以下、本発明に係る墨出し器用三脚アダプターの実施例について図面を参照しながら説明する。
図１において、符号１０は墨出し器用三脚アダプターを示している。三脚アダプター１０は、基台１２と、この基台１２の上部に垂直面内で回転可能に取り付けられた一対の狭持体２０と、この一対の狭持体２０を回転付勢する圧縮コイルばね３２を主要な構成部材としている。基台１２は球体の一部を平面で切り取った形をしていて、平面が下面となり、下面には基台１２自体を床面に設置するための足１４を３箇所に備えている。したがって、基台１２自体も三脚を備えていることになる。足１４の下端には、ゴムなどの緩衝材が装着されている。
【００１１】
図３、図４にも示すように、基台１２の上面からは一対の部分円筒部１５が相対向して一体に立ち上がり、一対の部分円筒部１５間に墨出し器装着部が形成されている。一対の部分円筒部１５の内周面は、図２に示すレーザー墨出し器５０の底面に一体に設けられている円柱状の下部突起５４の外形に沿った円弧状に形成され、また、一対の部分円筒部１５の外周面は、内周面と同心円弧状に形成されている。すなわち、一対の部分円筒部１５は、円筒の一部が相対向する位置で切り欠かれることによって形成されたような形状になっている。
【００１２】
一対の部分円筒部１５間には一対の狭持体２０が回転可能に取り付けられている。各狭持体２０は、断面形状がＬ字状で、中間部に水平方向の回転軸３０（図１参照）を有し、上記一対の部分円筒部１５間に形成されている上記墨出し器装着部の中心軸線を挟んで相対向する位置にある。断面形状Ｌ字状の各狭持体２０は、上側の立ち上がり部２２と、横方向外側に突出した操作部２８を備えている。上記回転軸３０は、一対の部分円筒部１５の相対向する端部間にまたがって支持された水平方向の軸で、各挟持体２０は回転軸３０を中心に垂直面内において回転可能に支持されている。
【００１３】
各挟持体２０の相対向する位置には、回転軸３０の位置よりも下方において円柱状のばね掛け２６が形成されていて、各ばね掛け２６の外周には圧縮コイルばね３２の各端部が嵌められている。したがって、各狭持体２０は、回転軸３０より下方にある操作部２８が互いに遠ざかる向きに、立ち上がり部２２は互いに接近する向きに回転付勢されている。各狭持体２０の立ち上がり部２２の先端部は、互いに接近する向きに突出して、墨出し器５０の鍔５５付き下部突起５４（図２参照）を挟み込むことができる狭持部２４となっている。この各狭持部２４は、この各狭持部２４によって狭持される墨出し器５０の下部突起５４の外形に沿った円弧状に形成されている。
【００１４】
図２に示すように、墨出し器５０の下部突起５４は円柱状に形成されているが、その下端部外周は下から上に向かって連続して径が大きくなる円錐面に形成されるとともに、この円錐面に続いて半径方向外方に張り出した鍔５５が形成されている。各狭持体２０の狭持部２４は墨出し器５０の下部突起５４の円弧と同じ径の円弧面に形成されている。前記一対の部分円筒部１５の内径は、墨出し器５０の下部突起５４に形成されている上記鍔５５の径と略同一または僅かに大きくなっている。上記圧縮コイルばね３２は、上記墨出し器装着部に墨出し器５０の下部突起５４が装着された状態でこの下部突起５４と干渉しないように、この下部突起５４よりも下方に水平方向の姿勢で配置されている。
【００１５】
圧縮コイルばね３２で回転付勢された一対の狭持体２０の付勢力による回転を制限するストッパ１８が基台１２に一体に形成されている。ストッパ１８は、図４に示すように、一つの狭持体２０に対しその両端部において狭持体２０の下面側に一体に形成されている突起２７が当たるように、２個を一対として、各狭持体２０に対応して形成されている。ストッパ１８による各狭持体２０の回転規制位置は、各狭持体２０の狭持部２４間に墨出し器５０の下部突起５４を押し込むことによって上記各狭持体２０を付勢力に抗して回転させ、上記各狭持部２４を互いに押し広げることができる程度の間隔を保つことができる位置である。
【００１６】
前記基台１２には、図１に示すように、中心軸線に沿って中心孔１６が上下方向に形成されていて、この孔１６にはナット１７が埋め込まれている。かかる構成の基台１２は、例えば樹脂成形により、かつ、ナット１７をインサート成形することにより低コストで得ることができる。上記ナット１７には、図２に示すように、三脚４０の雲台４２上に突出しているねじ４４をねじ込むことによって、三脚アダプター１０を三脚４０上に装着することができる。また、三脚アダプター１０には、以下に述べるような操作によって墨出し器５０を着脱することができる。
【００１７】
上記三脚アダプター１０に墨出し器５０を装着するには、図１に示すように一対の狭持体２０が圧縮コイルばね３２の付勢力によって回転軸３０を中心に回転し、かつ、この回転が狭持体２０の突起２７と基台１２のストッパ１８との当接により規制された状態で、墨出し器５０の下部突起５４を、一対の部分円筒部１５間の墨出し器装着部に押し込む。一対の狭持体２０の付勢力による回転が上記のように規制された状態では、一対の狭持体２０の狭持部２４相互の間隔が墨出し器５０の下部突起５４の外径より小さくなっていて、墨出し器５０の下部突起５４が一対の狭持体２０を付勢力に抗して回転させ、狭持部２４相互の間隔を押し広げながら上記下部突起５４が上記墨出し器装着部に潜り込む。墨出し器５０の下部突起５４に形成されている鍔５５（図２参照）が狭持体２０の狭持部２４の下まで到達すると、一対の支持体２０は付勢力によって回転し、各挟持部２４が上記下部突起５４の外周面に圧接する。この状態では、上記各挟持部２４が上記下部突起５４の下端部に形成されている鍔５５の上側に進入して墨出し器５０の脱落を防止する。また、墨出し器５０本体の底面が一対の部分円筒部１５の上面に当接し、墨出し器５０ががたつくことなく三脚アダプター１０に装着される。
【００１８】
なお、墨出し器５０が三脚アダプター１０に装着された状態で、墨出し器５０が安定に保持され、三脚アダプター１０から脱落することのないように、圧縮コイルばね３２の弾力を強くして、一対の狭持体２０による狭圧力を強くすることが望ましい。そうすると、墨出し器５０の下部突起５４を各狭持体２０の挟持部２４間の墨出し器装着部に押し込むだけでは、狭持体２０を付勢力に抗して押し開くことが困難になる。しかし、一対の狭持体２０の操作部２８にそれぞれ指を当て、各狭持体２０を付勢力に抗して回転させながら墨出し器５０の下部突起５４を上記墨出し器装着部に押し込めば、墨出し器５０を三脚アダプター１０に容易に装着することができる。一対の狭持体２０を付勢力に抗して回転させる操作と、墨出し器５０の下部突起５４を上記墨出し器装着部に押し込む操作は同時に行うので、迅速な装着が可能である。
【００１９】
各狭持体２０の狭持部２４の先端上縁部は面取りされた形の傾斜面２４Ａになっていて、墨出し器５０を装着する際に、その下部突起５４に形成されている円錐面を上記傾斜面２４Ａに当接させると、これによって生じる分力で各狭持体２０を付勢力に抗して円滑に回転させることができるようになっている。前記一対の部分円筒部１５の内方の円弧面は、墨出し器５０の下部突起５４の最大径と略同じまたは僅かに大きい径の円筒面で形成されていて、一対の部分円筒部１５が、上記下部突起５４を墨出し器装着部に押し込むときのガイド部として機能するようになっている。
【００２０】
上記のようにして三脚アダプター１０に墨出し器５０を装着した状態で、墨出し器５０を、その垂直方向の中心軸線を中心にして回転させることにより、任意の回転位置に調整することができる。墨出し器５０と一体の下部突起５４が、その外周面が一対の狭持体２０の狭持部２４の円弧状内周面にガイドされることにより、墨出し器５０を円滑に、かつ、がたつくことなく回転させることができる。
【００２１】
三脚アダプター１０から墨出し器５０を取り外す場合は、一対の狭持体２０の操作部２８にそれぞれ指を当て、双方の操作部２８を付勢力に抗して互いに接近する方向に回転させる。この操作によって一対の狭持体２０の狭持部２４が互いに離間する方向に移動するので、この状態で墨出し器５０を持ち上げてその下部突起５４を墨出し器装着部から上方に抜け出させる。
【００２２】
以上説明した実施例によれば、基台１２に埋め込まれたナット１７を利用して図２に示すような三脚４０に墨出し器５０を装着して使用することができ、あるいは、三脚４０を使用することなく、アダプター１０の基台１２に設けられている３つの足１４を床上に載せて使用してもよい。
上記実施例によれば、単に墨出し器５０の下部突起５４を墨出し器装着部に押し込む動作でアダプター１０に墨出し器５０を装着することができ、また、アダプター１０に墨出し器５０を装着した状態で、墨出し器５０を任意の回転位置に調整することができる。よって、当初に記載した目的を達成することができる。
【図面の簡単な説明】
【００２３】
【図１】本発明にかかる墨出し器用三脚アダプターの実施例を示す縦断面図である。
【図２】上記実施例にかかる墨出し器用三脚アダプターの使用態様の例を示す分解正面図である。
【図３】上記実施例にかかる墨出し器用三脚アダプターの平面図である。
【図４】上記実施例にかかる墨出し器用三脚アダプターの斜視図である。
【図５】上記実施例にかかる墨出し器用三脚アダプターの正面図である。
【図６】上記実施例にかかる墨出し器用三脚アダプターの側面図である。
【図７】上記実施例にかかる墨出し器用三脚アダプターの底面図である。
【符号の説明】
【００２４】
１０    三脚アダプター
１２    基台
１４    足
１５    部分円筒部
１７    ナット
１８    ストッパ
２０    狭持体
２４    狭持部
２８    操作部
３０    回転軸
３２  圧縮コイルばね
【図１】
2009036700.tif 000003
【図２】
2009036700.tif 000004
【図３】
2009036700.tif 000005
【図４】
2009036700.tif 000006
【図５】
2009036700.tif 000007
【図６】
2009036700.tif 000008
【図７】
2009036700.tif 000009